(57)【要約】【課題】定着ベルトを安定に回転させることのできる定着装置を提供する。【解決手段】定着装置６は、可撓性を有する回転可能な定着ベルト２１と、前記定着ベルト２１との間に加圧領域Ｎを形成する加圧部材２２と、前記定着ベルト２１を外側から加熱する加熱部２４と、前記定着ベルト２１の内周面に接触して該定着ベルト２１を前記加熱部２４に対向するように支持するガイド部材２５と、前記加圧領域Ｎの圧力に応じて、前記ガイド部材２５を前記定着ベルト２１に近接又は離間する方向に移動させて、前記ガイド部材２５の前記定着ベルト２１に対する接触力を変更する接触力変更部２６と、を備えている。【選択図】図２
2018180223.tif 000002
【特許請求の範囲】
【請求項１】
可撓性を有する回転可能な定着ベルトと、
前記定着ベルトとの間に加圧領域を形成する加圧部材と、
前記定着ベルトを外側から加熱する加熱部と、
前記定着ベルトの内周面に接触して、該定着ベルトを前記加熱部に対向するように支持するガイド部材と、
前記加圧領域の圧力に応じて、前記ガイド部材を前記定着ベルトに近接又は離間する方向に移動させて、前記ガイド部材の前記定着ベルトに対する接触力を変更する接触力変更部と、を備えていることを特徴とする定着装置。
【請求項２】
前記加圧部材を前記定着ベルトに近接又は離間する方向に移動させて、前記加圧領域の圧力を変更する圧力変更部を備え、
前記圧力変更部により普通紙通紙時よりも前記加圧領域の圧力が減圧された場合に、前記接触力変更部は、前記ガイド部材の前記定着ベルトに対する接触力が低くなるように、前記ガイド部材を前記定着ベルトから離間する方向に移動させることを特徴とする請求項１に記載の定着装置。
【請求項３】
前記ガイド部材は、前記加圧領域とは反対側で前記加熱部に対向するように配置され、
前記接触力変更部は、
前記定着ベルトの回転方向において、前記加圧領域よりも上流側では、前記ガイド部材を前記定着ベルトに接触させたままとし、前記加圧領域よりも下流側では、前記ガイド部材を前記定着ベルトに近接及び離間する方向に移動させることを特徴とする請求項１又は２に記載の定着装置。
【請求項４】
前記接触力変更部は、前記定着ベルトの回転軸と平行な軸を中心として回転する偏心カムを有し、
前記ガイド部材は、前記偏心カムと係合可能な係合端部を有し、
前記偏心カムの回転に前記係合端部が追従することで、前記ガイド部材が前記定着ベルトに近接又は離間する方向に移動することを特徴とする請求項１〜３のいずれか１項に記載の定着装置。
【請求項５】
用紙にトナー像を形成する画像形成部と、
前記トナー像を前記用紙に定着する請求項１〜４のいずれか１項記載の定着装置と、を備えていることを特徴とする画像形成装置。
【発明の詳細な説明】
【技術分野】
【０００１】
本発明は、用紙にトナー像を定着させる定着装置及びこの定着装置を備えた画像形成装置に関する。
【背景技術】
【０００２】
近年の省電力化やウォームアップ時間の短縮に対する要望に対して、定着装置の低熱容量化が進んでいる。低熱容量化の具体的な構成として、励磁コイルによって電磁誘導加熱される、可撓性を有する定着ベルトが用いられる場合がある。定着ベルトには、加圧部材が押圧されて加圧領域を形成している。加圧部材が回転することで、定着ベルトが加圧部材に従動して回転し、加圧領域をシートが通過する。この際、転写されたトナー像が加熱及び加圧されてシートに定着する。また、定着ベルトの内側には、加圧領域と反対側に、励磁コイルに対向するベルトガイドが配置されている。ベルトガイドは、定着ベルトの内周面に接触して定着ベルトを支持している。このようなベルトガイドを設けることで、定着装置の熱容量が低減される。
【０００３】
このような構成の定着装置においては、加圧部材やベルトガイドは、定着ベルトの回転によって該定着ベルトに対して摺動する。加圧部材やベルトガイドの摺動負荷が大きい場合、定着ベルトがスリップしてしまい、加熱不良や搬送不良が生じる虞がある。
【０００４】
特に、加圧領域の圧力を切り替え可能な構成の場合、加圧領域の圧力が減圧された際に定着ベルトの駆動力が低下するので、このような不良が発生しやすい。
【０００５】
特許文献１には、定着ベルトの内周面に当接するように配設された発熱部材（ベルトガイド）を、定着ベルトに対して離間させる離間機構を備えた定着装置が記載されている。
発熱部材を定着ベルトに対して離間させることで、定着ベルトの加熱状態を細かく調整できるようになっている。
【先行技術文献】
【特許文献】
【０００６】
【特許文献１】特開２０１２−１２３２７２号公報
【発明の概要】
【発明が解決しようとする課題】
【０００７】
しかしながら特許文献１に記載された定着装置のように、発熱部材が定着ベルトから離間してしまうと、定着ベルトの軌道が不安定になったり変化したりする。すると、励磁コイルと定着ベルトとの距離が変わり、定着ベルトの加熱効率が低下したり、加圧領域の入口で用紙の搬送不良が発生したりする虞がある。
【０００８】
本発明は上記事情を考慮し、定着ベルトの加熱不良や用紙の搬送不良を生じることなく、定着ベルトを安定に回転させることのできる定着装置及び画像形成装置を提供することを目的とする。
【課題を解決するための手段】
【０００９】
上記課題を解決するため、本発明の定着装置は、可撓性を有する回転可能な定着ベルトと、前記定着ベルトとの間に加圧領域を形成する加圧部材と、前記定着ベルトを外側から加熱する加熱部と、前記定着ベルトの内周面に接触して、該定着ベルトを前記加熱部に対向するように支持するガイド部材と、前記加圧領域の圧力に応じて、前記ガイド部材を前記定着ベルトに近接又は離間する方向に移動させて、前記ガイド部材の前記定着ベルトに対する接触力を変更する接触力変更部と、を備えていることを特徴とする。
【００１０】
本発明の定着装置において、前記加圧部材を前記定着ベルトに近接又は離間する方向に移動させて、前記加圧領域の圧力を変更する圧力変更部を備え、前記圧力変更部により普通紙通紙時よりも前記加圧領域の圧力が減圧された場合に、前記接触力変更部は、前記ガイド部材の前記定着ベルトに対する接触力が低くなるように、前記ガイド部材を前記定着ベルトから離間する方向に移動させることを特徴としても良い。
【００１１】
本発明の定着装置において、前記ガイド部材は、前記加圧領域とは反対側で前記加熱部に対向するように配置され、前記接触力変更部は、前記定着ベルトの回転方向において、前記加圧領域よりも上流側では、前記ガイド部材を前記定着ベルトに接触させたままとし、前記加圧領域よりも下流側では、前記ガイド部材を前記定着ベルトに近接及び離間する方向に移動させることを特徴としても良い。
【００１２】
本発明の定着装置において、前記接触力変更部は、前記定着ベルトの回転軸と平行な軸を中心として回転する偏心カムを有し、前記ガイド部材は、前記偏心カムと係合可能な係合端部を有し、前記偏心カムの回転に前記係合端部が追従することで、前記ガイド部材が前記定着ベルトに近接又は離間する方向に移動することを特徴としても良い。
【００１３】
本発明の画像形成装置は、用紙にトナー像を形成する画像形成部と、前記トナー像を前記用紙に定着する上記のいずれかに記載の定着装置と、を備えていることを特徴とする。
【発明の効果】
【００１４】
本発明によれば、ガイド部材の定着ベルトに対する接触力を可変することにより、定着ベルトのガイド部材に対する摺動負荷を調整できるので、定着ベルトの加熱不良や用紙の搬送不良を生じることなく、定着ベルトを安定に回転させることができる。
【図面の簡単な説明】
【００１５】
【図１】本発明の一実施形態に係るプリンターの内部構成を模式的に示す正面図である。
【図２】本発明の一実施形態に係る定着装置の、ベルトガイドと定着ベルトとの接触力が高い状態における断面図である。
【図３】本発明の一実施形態に係る定着装置の、ベルトガイドと定着ベルトとの接触力が低い状態における断面図である。
【図４】本発明の一実施形態に係る定着装置の圧力変更部を示す側面図である。
【発明を実施するための形態】
【００１６】
以下、図面を参照しつつ本発明の画像形成装置及び定着装置について説明する。
【００１７】
まず、図１を用いて、画像形成装置としてのカラープリンターの全体の構成について説明する。図１はカラープリンター１の内部構成を模式的に示す正面図である。以下、図１における紙面手前側をカラープリンター１の正面側（前側）とし、左右の向きはカラープリンター１を正面から見た方向を基準として説明する。各図のＬ及びＲは、それぞれ左方向及び右方向を示す。
【００１８】
カラープリンター１の装置本体２には、用紙Ｓが収容される給紙カセット３と、給紙カセット３から用紙Ｓを送り出す給紙装置４と、用紙Ｓにトナー像を形成する画像形成部５と、トナー像を用紙Ｓに定着する定着装置６と、用紙Ｓを排紙する排紙装置７と、排紙された用紙Ｓが受け止められる排紙トレイ８と、が備えられている。さらに、装置本体２には、給紙装置４から、画像形成部５と定着装置６とを通って排紙装置７に向かう用紙Ｓの搬送経路１０が形成されている。
【００１９】
給紙装置４によって給紙カセット３から給紙された用紙Ｓは、搬送経路１０に沿って画像形成部５に搬送され、用紙Ｓにトナー像が形成される。用紙Ｓは搬送経路１０に沿って定着装置６に送られ、トナー像が用紙Ｓに定着される。トナー像が定着された用紙Ｓは排紙装置７から排紙トレイ８に排出される。
【００２０】
次に、図２〜図４を参照して、定着装置６について説明する。図２及び図３は定着装置６を示す断面図であり、図２は、ベルトガイドと定着ベルトとの接触力が高い状態を示し、図３はベルトガイドと定着ベルトとの接触力が低い状態を示す。図４は定着装置の圧力変更部を示す側面図である。
【００２１】
図２及び図３に示されるように、定着装置６は、可撓性を有する無端状の定着ベルト２１と、定着ベルト２１との間に加圧領域Ｎを形成する加圧部材としての加圧ローラー２２と、加圧領域Ｎの圧力を変更する圧力変更部２３（図４参照）と、定着ベルト２１を加熱する加熱部としてのＩＨヒーター２４と、定着ベルト２１の内周面に接触して該定着ベルト２１をＩＨヒーター２４に対向するように支持するガイド部材としてのベルトガイド２５と、ベルトガイド２５の定着ベルト２１に対する接触力を変更する接触力変更部２６と、を備えている。
【００２２】
定着ベルト２１は、所定の内径を有し、用紙が通紙される通紙領域よりも長い幅を有する無端状ベルトである。内径は、一例として２０ｍｍ〜５０ｍｍである。定着ベルト２１は、可撓性を有する材料で形成され、基材層と、基材層の外周面に設けられる弾性層と、弾性層の外周面に設けられる離型層と、を有している。基材層は、Ｎｉ等の磁性金属や、ＣｕやＡｇ、Ａｌ等の金属を付与したポリイミド樹脂で形成されている。Ｎｉで形成される場合、厚さは一例として２５μｍ〜５０μｍであり、ポリイミド樹脂で形成される場合は、厚さは一例として５０μｍ〜１００μｍである。弾性層は、シリコンゴム等で形成される。弾性層の厚さは、一例として１００μｍ〜５００μｍである。離型層は、ＰＦＡチューブ等で形成される。離型層の厚さは、一例として１５μｍ〜５０μｍである。また、基材層の内周面に摺動層が形成される場合もある。摺動層は、ポリイミドアミドやＰＴＦＥ等で形成される。
【００２３】
定着ベルト２１は、両端が支持機構（図示省略）によって支持されて、軸心を中心として回転可能となっている。
【００２４】
加圧ローラー２２は、芯金と、芯金の外周面に設けられる弾性層と、弾性層の外周面に設けられる離型層と、を有している。弾性層は、シリコンゴム等で形成される。離型層は、ＰＦＡチューブ等で形成される。
【００２５】
加圧ローラー２２は、定着ベルト２１の右側に配置されて、圧力変更部２３によって、定着ベルト２１に接近又は離間する方向に揺動可能に支持されている。芯金の一端は駆動源（図示省略）に連結され、加圧ローラー２２は、駆動源によって図２及び図３の時計回り方向に回転可能となっている。
【００２６】
圧力変更部２３は、図４に示されるように、加圧ローラー２２を揺動可能に保持する加圧ローラー保持部３１と、加圧ローラー２２に対向するように、定着ベルト２１の内部に設けられる押圧パッド３２（図２及び図３参照）と、を有している。
【００２７】
図４を参照して、加圧ローラー保持部３１について説明する。加圧ローラー保持部３１は、加圧ローラー２２を回転可能に支持する保持アーム３４と、保持アーム３４に回動可能に連結される押圧アーム３５と、保持アーム３４と押圧アーム３５との間に設けられるバネ３６と、押圧アーム３５に当接可能に設けられる偏心カム３７と、を有している。
【００２８】
保持アーム３４は、加圧ローラー２２の芯金の左右両端部をそれぞれ回転可能に支持している。各保持アーム３４は、回動軸３４ａを中心として回動可能に設けられている。押圧アーム３５は、各保持アーム３４を挟んで定着ベルト２１とは反対側に配置されて、保持アーム３４の回動軸３４ａを中心として回動可能に設けられている。各押圧アーム３５の、定着ベルト２１とは反対側の面には、カムフォロア部３９が形成されている。
【００２９】
バネ３６は、各保持アーム３４と各押圧アーム３５との間に架設されて、各保持アーム３４に対して各押圧アーム３５を引き離す方向に付勢している。
【００３０】
偏心カム３７には、外周面に沿ってカム面４０が形成されている。カム面４０は、回転軸からの距離が周方向に沿って変化するように形成されており、回転軸からの距離が最も長い加圧面４０ａと、最も短い減圧面４０ｂと、を有している。偏心カム３７のカム面４０には、押圧アーム３５のカムフォロア部３９が、バネ３６の付勢力によって押し付けられている。
【００３１】
図２及び図３に示されるように、押圧パッド３２は、定着ベルト２１の内部に設けられた支持部材４３に支持されている。支持部材４３は中空の四角筒状を有している。押圧パッド３２は、加圧ローラー２２に対向するように配置されて、定着ベルト２１の内周面に接触している。押圧パッド３２は、例えば、液晶ポリマー等の樹脂で形成されている。押圧パッド３２の、定着ベルトの内周面に接触する部分には、エラストマーが設けられる場合もある。押圧パッド３２の外周面は、摺動シート４５で覆われている。摺動シート４５は、一例として、低熱性を有する低摩擦樹脂であるフッ素系樹脂で形成されている。
【００３２】
このように、加圧ローラー２２は、圧力変更部２３によって定着ベルト２１に押圧されて、加圧ローラー２２と定着ベルト２１の間に、用紙の搬送経路１０に沿った加圧領域Ｎを形成している。加圧領域Ｎよりも搬送方向の上流側には、用紙を加圧領域Ｎへ案内する進入ガイド４７が設けられ、加圧領域Ｎよりも搬送方向の下流側には、用紙を定着ベルト２１から分離する分離板４９が設けられている。
【００３３】
圧力変更部２３による加圧領域Ｎの圧力変更動作について説明する。偏心カム３７がモーター（図示省略）で回転されると、偏心カム３７のカム面４０にカムフォロア部３９が追従して、押圧アーム３５が回動軸３４ａを中心として回動する。偏心カム３７の加圧面４０ａがカムフォロア部３９に当接すると、押圧アーム３５は保持アーム３４の方向に回動し、保持アーム３４は定着ベルト２１に接近する方向に回動する。これにより、加圧ローラー２２が定着ベルト２１と摺動シート４５とを介して押圧パッド３２に押し付けられ、加圧領域Ｎの圧力が加圧される。一方、偏心カム３７の減圧面４０ｂがカムフォロア部３９に当接すると、押圧アーム３５は保持アーム３４とは反対側に回動して、保持アーム３４は定着ベルト２１から離間する方向に回動する。これにより、加圧領域Ｎの圧力が減圧される。このように、加圧領域Ｎの圧力が加圧又は減圧される。一例として、加圧領域Ｎの減圧時の圧力は、加圧時の１／１０程度である。
【００３４】
ＩＨヒーター２４は、コイル部と、コイル部を巻線状に保持するコイルボビンと、アーチコアと、を有している。ＩＨヒーター２４は、定着ベルト２１の外周面の左半分を覆うように支持されている。コイル部に高周波の交流電圧を印加することにより磁界を発生させ、この磁界の作用によって定着ベルト２１の基材層に渦電流が発生して基材層が発熱し、定着ベルト２１が加熱される。
【００３５】
ベルトガイド２５は、バネ性を有する部材であり、定着ベルト２１の内周面に接触する本体部５１と、定着ベルト２１の周方向において本体部５１の一端（下端）に設けられる支持端部５２と、本体部５１の他端（上端）に設けられるカム係合端部５３と、を有している。ベルトガイド２５は、導電性材料で形成され、厚さは一例として０．１ｍｍ〜０．５ｍｍである。
【００３６】
本体部５１は、定着ベルト２１の内周面に沿った円弧状の断面形状を有している。支持端部５２は、本体部５１の下端から、定着ベルト２１の径方向において内方向に屈曲した後、本体部５１とは反対方向に直角に屈曲している。支持端部５２は、支持部材４３の下面に固定されている。カム係合端部５３は、本体部５１の上端中央部から、定着ベルト２１の径方向において内方向に屈曲した後、本体部５１の方向に直角よりもやや大きい角度で屈曲している。カム係合端部５３は、支持部材４３に形成された開口４３ａを通って、支持部材４３の中空部に延びている。
【００３７】
ベルトガイド２５は、支持端部５２を支点として、図２及び図３の反時計回り方向へ弾性力を与えるように、支持部材４３に支持されている。これにより、定着ベルト２１の内周面に径方向外側へのテンションが付与され、定着ベルト２１の回転軌道が安定化する。さらに、定着ベルト２１を貫通した磁場がベルトガイド２５に吸収されて発熱するので、発熱効率を高める効果も得られる。
【００３８】
接触力変更部２６は、支持部材４３の中空部に配置された、定着ベルト２１の軸心と平行な回転軸５５を有している。回転軸５５の中央部は、周方向の一部が小径となるように、周方向に沿って切削されて、偏心カム５６が形成されている。この偏心カム５６には、ベルトガイド２５のカム係合端部５３が下方から係合している。回転軸５５が回転して、図２に示されるように、カム係合端部５３が偏心カム５６に係合した状態では、ベルトガイド２５は、図２及び図３の反時計回り方向へ弾性力によって、本体部５１が定着ベルト２１の内周面に強く接触する姿勢に維持される。一方、図３に示されるように、カム係合端部５３が回転軸５５（偏心カム５６が形成されていない非切削部）に係合した状態では、カム係合端部５３が下方（あるいは斜め右下方向）に押し下げられ、本体部５１の上端部が定着ベルト２１の内周面から下方に離間する。これにより、定着ベルト２１の内周面に対する本体部５１の接触力は弱くなる。なお、本体部５１の上端部以外の部分は、定着ベルト２１の内周面に接触したままである。
【００３９】
上記構成を有する定着装置６の定着動作について説明する。普通紙通紙時には、図２に示されるように、加圧領域Ｎの圧力は加圧状態に維持されている。接触力変更部２６の回転軸５５は、ベルトガイド２５のカム係合端部５３が偏心カム５６に係合するように回転して、ベルトガイド２５の定着ベルト２１に対する接触力は高い状態に維持されている。
【００４０】
カラープリンター１の電源ＯＦＦ時、定着装置６内の紙詰まり処理時、封筒などの厚紙が通紙される際には、加圧領域Ｎの圧力は、普通紙通紙時よりも減圧される。加圧領域Ｎの圧力を減圧することで、カラープリンター１の電源ＯＦＦ時には加圧ローラー２２のＣセット（加圧ローラー２２が長時間圧接された状態で放置されることで発生する凹状の永久歪み）を防止でき、定着装置６内の紙詰まり処理時には処理作業を容易にでき、封筒などの厚紙が通紙される際には、しわの発生を防止できる。
【００４１】
なお、定着ベルト２１は、回転させずに加熱した場合に周方向に温度斑が形成されるため、回転させながら加熱する必要がある。また、カラープリンター１の電源がＯＮされた後や、紙詰まり作業終了後には、定着ベルト２１を短時間で加熱する必要があるので、加圧領域Ｎの圧力が減圧状態のままで定着ベルト２１を加熱する必要がある。また、封筒通紙時にも、しわの発生防止のために、加圧領域Ｎの圧力が減圧状態のままで定着ベルト２１を加熱する必要がある。
【００４２】
加圧領域Ｎの圧力を減圧するには、前述のように、圧力変更部２３の偏心カム３７を回転させて、減圧面４０ｂをカムフォロア部３９に当接させる。このように加圧領域Ｎの圧力が減圧されると、加圧領域Ｎを通過する用紙の搬送力が低下する虞がある。
【００４３】
そこで、加圧領域Ｎの圧力が減圧されると、接触力変更部２６は、ベルトガイド２５の定着ベルト２１に対する接触力を弱くするように、ベルトガイド２５を定着ベルト２１から離間する方向に移動させる。つまり、前述のように、カム係合端部５３が回転軸５５（偏心カム５６が形成されていない非切削部）に係合するように、回転軸５５を回転させる。これにより、前述のように、カム係合端部５３が下方（あるいは斜め右下方向）に押し下げられて、本体部５１の上端部が定着ベルト２１の内周面から下方に離間し、ベルトガイド２５と定着ベルト２１との摺動負荷が低減する。したがって、加圧領域Ｎを通過する用紙の搬送力が低下しても、定着ベルト２１のスリップを防止でき、用紙を適切に搬送できる。
【００４４】
なお、圧力変更部２３と接触力変更部２６とは、制御部（図示省略）と電気的に接続している。制御部は、圧力変更部２３によって加圧領域Ｎの圧力が変更されると、変更された圧力に応じて、ベルトガイド２５と定着ベルト２１との接触力を変更するように接触力変更部２６を制御する。
【００４５】
上記説明したように本発明の定着装置６においては、加圧領域Ｎの圧力が減圧された際には、接触力変更部２６がベルトガイド２５の定着ベルト２１に対する接触力を弱くして、摺動負荷を低減させる。これにより、加圧領域Ｎの圧力が減圧されて用紙の搬送力が低下しても、定着ベルト２１をスリップすることなく回転させることができる。したがって、用紙を適切に搬送することができ、加熱不良や用紙の搬送不良を防止できる。
【００４６】
さらに、ベルトガイド２５と定着ベルト２１との接触力が低下した状態では、ベルトガイド２５は、定着ベルト２１の回転方向において加圧領域Ｎよりも下流側では、定着ベルト２１から離間しているが、加圧領域Ｎよりも上流側では、定着ベルト２１に接触したままである。したがって、定着ベルト２１の回転軌道を安定化できる。特に、用紙の進入側において、定着ベルト２１の回転軌道を確保しているので、用紙を円滑に加圧領域Ｎに進入させることができる。
【００４７】
また、接触力変更部２６は、偏心カム５６を形成した回転軸５５で構成されているので、接触力変更部２６を簡易な構成とできる。
【００４８】
本実施形態では、加圧領域Ｎの圧力が普通紙通紙時よりも減圧された場合に、接触力変更部２６が、ベルトガイド２５と定着ベルト２１との接触力を低くするように構成した。しかし、加圧領域Ｎの圧力を二段階以上に減圧する際には、接触力変更部２６が、ベルトガイド２５と定着ベルト２１との接触力を加圧領域Ｎの圧力に応じて二段階以上に調整しても良い。
【００４９】
なお、本実施形態では、加圧領域Ｎの圧力の変更に応じて、接触力変更部２６が、ベルトガイド２５と定着ベルト２１との接触力を調整するように構成したが、加圧領域Ｎの圧力変更時以外にも、必要に応じてベルトガイド２５と定着ベルト２１との接触力を調整することができる。
【００５０】
本発明の実施形態では、カラープリンター１に本発明の構成を適用した場合について説明したが、他の異なる実施形態では、複写機、ファクシミリ、複合機等のカラープリンター１以外の画像形成装置に本発明の構成を適用しても良い。
【００５１】
さらに、上記した本発明の実施形態の説明は、本発明に係る定着装置及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５２】
１  カラープリンター（画像形成装置）
６  定着装置
２１  定着ベルト
２２  加圧ローラー（加圧部材）
２３  圧力変更部
２４  加熱部（ＩＨヒーター）
２５  ベルトガイド（ガイド部材）
２６  接触力変更部
５３  カム係合端部
５６  偏心カム
【図１】
2018180223.tif 000003
【図２】
2018180223.tif 000004
【図３】
2018180223.tif 000005
【図４】
2018180223.tif 000006